【手続補正書】
【提出日】平成19年6月25日(2007.6.25)
【手続補正１】
【補正対象書類名】明細書
【補正対象項目名】特許請求の範囲
【補正方法】変更
【補正の内容】
【特許請求の範囲】
【請求項１】  増設機器装着手段と、
前記増設機器装着手段に増設機器が装着されたことを検知して、該増設機器に関する機器情報を取得する取得手段と、
前記取得した情報に応じた画像情報を生成する画像生成手段と、
前記生成した画像情報に基づく画像を印刷出力するように出力部を制御する出力手段と
を備えることを特徴とする画像出力装置。
【請求項２】  前記取得手段は、
既に取得してある情報と新たに取得した情報とを比較する比較手段と、
前記比較手段による比較結果に基づいて、前記増設機器の装着状態の変化を検知する検知手段と
を備えることを特徴とする請求項１に記載の画像出力装置。
【請求項３】  前記画像生成手段は、前記検知した変化に応じて前記画像情報の生成方法を変更するようにしたことを特徴とする請求項２に記載の画像出力装置。
【請求項４】  所定の通信媒体を介し画像出力装置と通信して画像情報の通信を行なう画像処理装置において、
前記画像出力装置に装着された増設機器に関する機器情報を取得する取得手段と、
前記取得した情報に応じた画像情報を生成する画像生成手段と、
前記生成した画像情報に基づく画像を表示する表示手段と
を備えることを特徴とする画像処理装置。
【請求項５】  前記取得手段により新たに情報を取得し、
前記画像生成手段により、既に取得してある情報と前記新たに取得した情報から前記画像出力装置の前記機器情報の変化に応じて前記画像情報の表示を変更するようにしたことを特徴とする請求項４に記載の画像処理装置。
【請求項６】  増設機器装着手段に増設機器が装着されたことを検知して、該増設機器に関する機器情報を取得する取得ステップと、
前記取得した情報に応じた画像情報を生成する画像生成ステップと、
前記生成した画像情報に基づく画像を印刷出力するように出力部を制御する出力ステップと
を含むことを特徴とする画像出力方法。
【請求項７】  前記取得ステップは、
既に取得してある情報と新たに取得した情報とを比較する比較ステップと、
前記比較ステップにおける比較結果に基づいて、前記増設機器の装着状態の変化を検知する検知ステップと
を含むことを特徴とする請求項６に記載の画像出力方法。
【請求項８】  前記画像生成ステップにて、前記検知した変化に応じて前記画像情報の生成方法を変更することを特徴とする請求項７に記載の画像出力方法。
【請求項９】  所定の通信媒体を介し画像出力装置と通信して画像情報の通信を行なう画像処理装置における画像処理方法において、
前記画像出力装置に装着された増設機器に関する機器情報を取得する取得ステップと、
前記取得した情報に応じた画像情報を生成する画像生成ステップと、
前記生成した画像情報に基づく画像を表示する表示ステップと
を含むことを特徴とする画像処理方法。
【請求項１０】  前記取得ステップにて新たに情報を取得し、
前記画像生成ステップにて、既に取得してある情報と前記新たに取得した情報から前記画像出力方法の前記機器情報の変化に応じて前記画像情報の表示を変更するようにしたことを特徴とする請求項９に記載の画像処理方法。
【請求項１１】  プログラムをコンピュータにより読み出し可能に記憶した記憶媒体であって、該コンピュータに読み出された該プログラムが該コンピュータに、
増設機器装着手段に増設機器が装着されたことを検知して、該増設機器に関する機器情報を取得する取得ステップと、
前記取得した情報に応じた画像情報を生成する画像生成ステップと、
前記生成した画像情報に基づく画像を印刷出力するように出力部を制御する出力ステップと
を実行させることを特徴とする記憶媒体。
【請求項１２】  前記取得ステップは、
既に取得してある情報と新たに取得した情報とを比較する比較ステップと、
前記比較ステップにおける比較結果に基づいて、前記増設機器の装着状態の変化を検知する検知ステップと
を含むことを特徴とする請求項１１に記載の記憶媒体。
【請求項１３】  前記画像生成ステップにて、前記検知した変化に応じて前記画像情報の生成方法を変更することを特徴とする請求項１２に記載の記憶媒体。
【請求項１４】  所定の通信媒体を介し画像出力装置と通信して画像情報の通信を行なう画像処理方法のプログラムをコンピュータにより読み出し可能に記憶した記憶媒体であって、該コンピュータに読み出された該プログラムが該コンピュータに、
前記画像出力装置に装着された増設機器に関する機器情報を取得する取得ステップと、
前記取得した情報に応じた画像情報を生成する画像生成ステップと、
前記生成した画像情報に基づく画像を表示する表示ステップと
を実行させることを特徴とする記憶媒体。
【請求項１５】  前記取得ステップにて新たに情報を取得し、
前記画像生成ステップにて、既に取得してある情報と前記新たに取得した情報から前記画像出力方法の前記機器情報の変化に応じて前記画像情報の表示を変更するようにしたことを特徴とする請求項１４に記載の記憶媒体。
【手続補正２】
【補正対象書類名】明細書
【補正対象項目名】０００７
【補正方法】変更
【補正の内容】
【０００７】
【課題を解決するための手段】
上記の課題を解決するために、請求項１の本発明装置は、増設機器装着手段と、前記増設機器装着手段に増設機器が装着されたことを検知して、該増設機器に関する機器情報を取得する取得手段と、前記取得した情報に応じた画像情報を生成する画像生成手段と、前記生成した画像情報に基づく画像を印刷出力するように出力部を制御する出力手段とを備えることを特徴とする。
【手続補正３】
【補正対象書類名】明細書
【補正対象項目名】０００８
【補正方法】変更
【補正の内容】
【０００８】
ここで、請求項２の本発明装置は、請求項１において、前記取得手段は、既に取得してある情報と新たに取得した情報とを比較する比較手段と、前記比較手段による比較結果に基づいて、前記増設機器の装着状態の変化を検知する検知手段とを備えるものである。
【手続補正４】
【補正対象書類名】明細書
【補正対象項目名】００１０
【補正方法】変更
【補正の内容】
【００１０】
上記の課題を解決するために、請求項４の本発明装置は、所定の通信媒体を介し画像出力装置と通信して画像情報の通信を行なう画像処理装置において、前記画像出力装置に装着された増設機器に関する機器情報を取得する取得手段と、前記取得した情報に応じた画像情報を生成する画像生成手段と、前記生成した画像情報に基づく画像を表示する表示手段とを備えることを特徴とする。
【手続補正５】
【補正対象書類名】明細書
【補正対象項目名】００１１
【補正方法】変更
【補正の内容】
【００１１】
ここで、請求項５の本発明装置は、請求項４において、前記取得手段により新たに情報を取得し、前記画像生成手段により、既に取得してある情報と前記新たに取得した情報から前記画像出力装置の前記機器情報の変化に応じて前記画像情報の表示を変更するようにしたものである。
【手続補正６】
【補正対象書類名】明細書
【補正対象項目名】００１２
【補正方法】変更
【補正の内容】
【００１２】
上記の課題を解決するために、請求項６の本発明方法は、増設機器装着手段に増設機器が装着されたことを検知して、該増設機器に関する機器情報を取得する取得ステップと、前記取得した情報に応じた画像情報を生成する画像生成ステップと、前記生成した画像情報に基づく画像を印刷出力するように出力部を制御する出力ステップとを含むことを特徴とする。
【手続補正７】
【補正対象書類名】明細書
【補正対象項目名】００１３
【補正方法】変更
【補正の内容】
【００１３】
ここで、請求項７の本発明方法は、請求項６において、前記取得ステップは、既に取得してある情報と新たに取得した情報とを比較する比較ステップと、前記比較ステップにおける比較結果に基づいて、前記増設機器の装着状態の変化を検知する検知ステップとを含むものである。
【手続補正８】
【補正対象書類名】明細書
【補正対象項目名】００１５
【補正方法】変更
【補正の内容】
【００１５】
上記の課題を解決するために、請求項９の本発明方法は、所定の通信媒体を介し画像出力装置と通信して画像情報の通信を行なう画像処理装置における画像処理方法において、前記画像出力装置に装着された増設機器に関する機器情報を取得する取得ステップと、前記取得した情報に応じた画像情報を生成する画像生成ステップと、前記生成した画像情報に基づく画像を表示する表示ステップとを含むことを特徴とする。
【手続補正９】
【補正対象書類名】明細書
【補正対象項目名】００１６
【補正方法】変更
【補正の内容】
【００１６】
ここで、請求項１０の本発明方法は、請求項９において、前記取得ステップにて新たに情報を取得し、前記画像生成ステップにて、既に取得してある情報と前記新たに取得した情報から前記画像出力方法の前記機器情報の変化に応じて前記画像情報の表示を変更するものである。
【手続補正１０】
【補正対象書類名】明細書
【補正対象項目名】００１７
【補正方法】変更
【補正の内容】
【００１７】
上記の課題を解決するために、請求項１１の本発明記憶媒体は、プログラムをコンピュータにより読み出し可能に記憶したものであって、該コンピュータに読み出された該プログラムが該コンピュータに、増設機器装着手段に増設機器が装着されたことを検知して、該増設機器に関する機器情報を取得する取得ステップと、前記取得した情報に応じた画像情報を生成する画像生成ステップと、前記生成した画像情報に基づく画像を印刷出力するように出力部を制御する出力ステップとを実行させることを特徴とする。
【手続補正１１】
【補正対象書類名】明細書
【補正対象項目名】００１８
【補正方法】変更
【補正の内容】
【００１８】
ここで、請求項１２の本発明記憶媒体は、請求項１１において、前記取得ステップは、既に取得してある情報と新たに取得した情報とを比較する比較ステップと、前記比較ステップにおける比較結果に基づいて、前記増設機器の装着状態の変化を検知する検知ステップとを含むことを特徴とするプログラムを記憶したものである。
【手続補正１２】
【補正対象書類名】明細書
【補正対象項目名】００２０
【補正方法】変更
【補正の内容】
【００２０】
上記の課題を解決するために、請求項１４の本発明記憶媒体は、所定の通信媒体を介し画像出力装置と通信して画像情報の通信を行なう画像処理方法のプログラムをコンピュータにより読み出し可能に記憶したものであって、該コンピュータに読み出された該プログラムが該コンピュータに、前記画像出力装置に装着された増設機器に関する機器情報を取得する取得ステップと、前記取得した情報に応じた画像情報を生成する画像生成ステップと、前記生成した画像情報に基づく画像を表示する表示ステップとを実行させることを特徴とする。
【手続補正１３】
【補正対象書類名】明細書
【補正対象項目名】００２１
【補正方法】変更
【補正の内容】
【００２１】
ここで、請求項１５の本発明記憶媒体は、請求項１４において、前記取得ステップにて新たに情報を取得し、前記画像生成ステップにて、既に取得してある情報と前記新たに取得した情報から前記画像出力方法の前記機器情報の変化に応じて前記画像情報の表示を変更するようにしたことを特徴とするプログラムを記憶したものである。